(57)【特許請求の範囲】
【請求項１】
互いに長手方向に離間してその間にチャンバ（１３ｂ）を形成する両端部を有する硬質性細長ハウジング（１３）であって、前記両端部の一方に設けられた開口を有する硬質性細長ハウジング（１３）と、
前記ハウジング（１３）の両端部の一方における開口の周囲に取付けられると共に、前記ハウジング（１３）の開口と連通するように貫通する開口を有する端部キャップ（２０）と、
前記端部キャップ（２０）の開口の周囲に取付けられる第１の開放端（３８）、および前記長手方向にて前記第１の開放端（３８）に対向して配置される第２の開放端を有する柔軟なスリーブ（２２ｂ）であって、前記端部キャップ（２０）の開口から挿入された肢を受け入れるように前記第１の開放端（３８）および前記第２の開放端の間で内部を通って貫通する開口内部空間を有し、かつ前記第１の開放端（３８）から前記第２の開放端に向かって縮径するように円錐台形状に形成される柔軟なスリーブ（２２ｂ）と、
前記柔軟なスリーブ（２２ｂ）の開口内部空間を通過した前記肢を受け入れるように内部を通って貫通する開口内部空間を有する膨張可能な袖状部材（２２）と
を備え、
前記膨張可能な袖状部材（２２）が、前記柔軟なスリーブ（２２ｂ）の第２の開放端に取付けられて、前記柔軟なスリーブ（２２ｂ）から前記膨張可能な袖状部材（２２）の開口内部空間に挿入された前記肢に抗して膨張した状態にて前記膨張可能な袖状部材（２２）の開口内部空間をシールするように構成されており、
前記膨張可能な袖状部材（２２）が、前記柔軟なスリーブ（２２ｂ）の第２の開放端から前記ハウジング（１３）のチャンバ（１３ｂ）の内部に向かって延びるように形成され、
前記肢が前記端部キャップ（２０）の開口から前記柔軟なスリーブ（２２ｂ）の開口内部空間および前記膨張可能な袖状部材（２２）の開口内部空間を通って前記ハウジング（１３）のチャンバ（１３ｂ）内に挿入され、前記膨張可能な袖状部材（２２）の開口内部空間がシールされて、加圧ガスが前記ハウジング（１３）のチャンバ（１３ｂ）内に導入された状態にて、前記ハウジング（１３）のチャンバ（１３ｂ）内が所望の圧力に維持可能となるように構成されている、創傷治療装置。
【請求項２】
前記ハウジング（１３）は、該ハウジング（１３）の側面に設けられるアクセスポート（１６）と、該アクセスポート（１６）に着脱可能に取付けられるアクセスポートカバー（４６）とを更に含み、
前記アクセスポート（１６）は、該アクセスポート（１６）に対して前記アクセスポートカバー（４６）を着脱可能に取付けるためのクランプ（４８）を有する構成となっている、請求項１に記載の装置。
【請求項３】
前記アクセスポートカバー（４６）が、対応するスロット（５２）をそれぞれ有する複数の弓形外周側面（５０）を含んでおり、
前記複数の弓形外周側面（５０）が、前記アクセスポートカバー（４６）の周方向に並んで配置され、
前記複数の弓形外周側面（５０）のそれぞれが、前記周方向の一方に進むに従って、第１の直径及び前記第１の直径より大きな第２の直径の間で直径を増加させつつ直径方向外側に広がるように形成されており、
前記第１の直径が、前記弓型外周側面（５０）における前記周方向のもう一方側端部の直径となっており、
前記第２の直径が、前記弓型外周側面（５０）における前記周方向の一方側端部の直径となっており、
前記スロットが、前記弓型外周側面（５０）における前記周方向の一方側端部に設けられ、
前記スロットが前記クランプ（４８）と結合することによって、前記アクセスポートカバー（４６）が前記アクセスポート（１６）に対して取付けられるように構成されている、請求項２に記載の装置。
【請求項４】
前記第１の開放端（３８）が、前記端部キャップ（２０）の内面に配置される溝（４４）と係合するように構成された縁部分（３８）を有している、請求項１に記載の装置。
【請求項５】
前記膨張可能な袖状部材（２２）が、外壁（２８）と、前記膨張可能な袖状部材（２２）の開口内部空間を画成する内壁（２６）とを含み、該外壁（２８）は前記内壁（２６）の周囲に配置され、前記袖状部材（２２）が、前記袖状部材（２２）に取付けられたバルブ（２４）によって膨張ガス源と流体連通するように構成されている、請求項１に記載の装置。
【請求項６】
前記膨張可能な袖状部材（２２）が、前記外壁（２８）と前記内壁（２６）との間に配置される側壁（３０）を更に含んでいる、請求項５に記載の装置。
【請求項７】
前記外壁（２８）及び前記側壁（３０）が前記内壁（２６）よりも硬質となっている、請求項６に記載の装置。
【請求項８】
前記ハウジング（１３）における離間する前記両端部のもう一方に取付けられる半球状の本体（１８ａ）を有する更なる端部キャップ（１８）を更に含んでいる、請求項１に記載の装置。
【請求項９】
前記膨張可能な袖状部材（２２）の第１の開放端（３８）が前記端部キャップ（２０）に結合され、
前記端部キャップ（２０）を前記ハウジング（１３）の両端部の一方に着脱可能に締結するためのカム機構が設けられている、請求項１に記載の装置。
【請求項１０】
前記カム機構が、円柱形状の外周面に平坦面（６４）を設けるように形成されたカム（６２）と、前記ハウジング（１３）と結合すると共に前記カム（６２）内に前記カム（６２）の長手方向に沿って配置される旋回ロッド（６０）と、前記カム（６２）を、前記旋回ロッド（６０）を中心に回転させるために前記カム（６２）の外周面から突出するハンドル（６６）とを備え、
前記カム（６２）の平坦面（６４）が前記ハウジング（１３）に当接することによって、前記カム機構が、前記端部キャップ（２０）を前記ハウジング（１３）の両端部の一方に締結したロック状態を維持可能に構成されている、請求項９に記載の装置。
【請求項１１】
前記ハウジング（１３）が円筒状に形成されている、請求項１に記載の装置。
【発明の詳細な説明】
【技術分野】
【０００１】
［関連出願の相互参照］
本出願は、その開示内容が参照することにより本明細書に組み入れられる「Ｒｅｕｓａｂｌｅ  Ｈｙｐｅｒｂａｒｉｃ  Ｗｏｕｎｄ  Ｔｒｅａｔｍｅｎｔ  Ｄｅｖｉｃｅ」と題される２００７年１１月６日に出願された米国仮特許出願第６１／００２，０８５号の出願日の利益を主張する。
【背景技術】
【０００２】
高圧チャンバは、患者の身体の病変又は創傷の治癒を早めるために治療ガスを適用するためのシール環境を作り出す装置である。その開示内容が参照することにより本明細書に組み入れられる「Ｈｙｐｅｒｂａｒｉｃ  Ｃｈａｍｂｅｒ  Ａｐｐａｒａｔｕｓ」と題される特許文献１（米国特許第５，０６０，６４４号）に記載されるように、そのような封入環境内への酸素等の加圧ガスを導入することは、様々なタイプの病変及び創傷の治癒を促進する。
【０００３】
高圧チャンバが病変又は創傷の治癒のために最初に導入されたとき、これらの高圧チャンバは本体全体を取り囲んでいた。時が経つにつれて、高圧チャンバは更に精巧になっており、そして、参照することにより本明細書に組み入れられる「Ｃｏｌｌａｐｓｉｂｌｅ  Ｔｏｐｉｃａｌ  Ｈｙｐｅｒｂａｒｉｃ  Ａｐｐａｒａｔｕｓ」と題される特許文献２（米国特許第５，１５４，６９７号）及び「Ｐｏｒｔａｂｌｅ  Ｔｏｐｉｃａｌ  Ｈｙｐｅｒｂａｒｉｃ  Ａｐｐａｒａｔｕｓ」と題される特許文献３（米国特許第４，８０１，２９１号）に記載されるように、局部用の高圧チャンバが開発されている。
【先行技術文献】
【特許文献】
【０００４】
【特許文献１】米国特許第５０６０６４４号明細書
【特許文献２】米国特許第５１５４６９７号明細書
【特許文献２】米国特許第４８０１２９１号明細書
【発明の概要】
【発明が解決しようとする課題】
【０００５】
現在の再利用可能な創傷治療装置は、一般的に、硬質フレームに取り付けられる硬質透明パネルを有している。パネルとフレームとの間に配置されるシールは、シールが経時的に変形するため、繰り返しの使用に伴って漏れる傾向がある。また、パネルは、装置内の循環的圧力に起因して、それらのシールを緩める傾向がある。したがって、作動圧に効果的かつ効率的に耐えることができるとともに、シールが使用に伴って変形する場合であっても効果的な密閉シールを行なうことができる再利用可能な創傷治療装置が望まれている。
【０００６】
また、一部の再利用可能な創傷治療装置は、テープを使用して患者の肢の周囲にシールを形成する。多くの場合、これらのテープシールは漏れ、かつほどけてしまい、そのため、貴重な治療ガスが逃げる可能性がある。したがって、テープを使用することなく装置を肢に対して効果的にシールできるシールが望まれる。
【課題を解決するための手段】
【０００７】
本発明の一実施形態において、創傷治療装置は、第１の端部と、該第１の端部との間でチャンバを形成する第２の端部とを伴うハウジング壁を有する硬質ハウジングを含むことができる。装置は、ハウジング壁の第１の端部に着脱可能に取付けられる膨張可能な袖状部材（ｃｕｆｆ）を更に含むことができる。ハウジング壁は、開口を有する側壁と、開口を閉じるためのカバーと、開口を取り囲む側壁に対してカバーを着脱可能に締結するためのカム機構とを含むことができる。カム機構は、平坦面を有するカムと、ハウジングと結合するためにカムに配置される旋回ロッドと、カムを回転させるためのハンドルとを含むことができる。
【０００８】
本発明の他の実施形態において、創傷治療装置は、第１の端部、及び該第１の端部との間でチャンバを形成する第２の端部を伴うハウジング壁を有する硬質ハウジングと、ハウジング壁の第１の端部に着脱可能に取付けられる膨張可能な袖状部材と、ハウジング壁の第２の端部に取付けられ、かつチャンバから外側に延びる半球状の本体を有する端部キャップとを含むことができる。
【０００９】
本発明の更なる他の実施形態において、硬質創傷治療装置は、互いに離間してその間にチャンバを形成する両端部を有する円筒壁と、前記端部の一方に着脱可能に取付けられ、かつチャンバ内で延びる膨張可能な袖状部材とを含むことができる。
【００１０】
この発明の様々な目的、利点及び特徴は、同様の参照符号が同様の部分を示す添付図面と併せて以下の詳細な説明を読むことにより更に十分に明らかとなる。
【図面の簡単な説明】
【００１１】
【図１】本発明の一実施形態に係る創傷治療装置を使用する創傷治療を受ける患者の概略図である。
【図２】図１の創傷治療装置のためのハウジングの斜視図である。
【図３】図２のハウジングの分解斜視図である。
【図４】袖状部材のシールアセンブリの斜視図である。
【図５】組み立てられていない状態における袖状部材のシールアセンブリの側面図である。
【図６】組み立て状態における袖状部材のシールアセンブリの側面図である。
【図７】本発明の一実施形態に係る図１の装置のアクセスポート及びカバーの正面図である。
【図８】図７のカバーの正面図である。
【図９】図７のアクセスポートの正面図である。
【図１０】本発明の一実施形態に係るクランプの分解斜視図である。
【図１１Ａ】アクセスポートをカバーによってシールした状態を示した図１０のクランプの拡大側面図である。
【図１１Ｂ】アクセスポートをカバーによってシールした状態を示した図１０のクランプの拡大側面図である。
【図１１Ｃ】アクセスポートをカバーによってシールした状態を示した図１０のクランプの拡大側面図である。
【図１１Ｄ】アクセスポートをカバーによってシールした状態を示した図１０のクランプの拡大側面図である。
【図１２】本発明の他の実施形態の斜視図である。
【発明を実施するための形態】
【００１２】
図１は、患者の脚等の肢に対して高圧療法を受ける患者を示している。肢は、本発明の一実施形態にしたがって構成される高圧創傷治療装置１０の内側に配置される。本明細書中に開示される本発明の実施形態は高圧治療について記載するが、圧迫療法又は陰圧療法等のような任意のタイプの創傷治療が使用されてもよい。
【００１３】
特に図２及び図３を参照すると、装置１０は、開放端１２，１４を有する細長ハウジング１３を含んでいる。ハウジング１３は、高圧療法中に使用される圧力を均一に分配するための略円筒形状を成す内部チャンバ１３ｂを画成し、かつほぼ連続するハウジング壁１３ａから形成されている。ハウジング壁１３ａは、治療中に使用される圧力に耐えることができる鋳造（ｃａｓｔ）アクリル又は同様の材料等の硬質高分子材料から形成することができる。また、壁１３ａは、チャンバ１３ｂ内を見ることができるように透明にすることができる。随意的に、ハウジング１３がアクセスポート１６を含むことができ、このアクセスポートを通じて医師が患者の肢の創傷にアクセスできる。
【００１４】
ハウジング１３の一方の開放端には、ハウジングの開放端１４を閉じてシールする第１の端部キャップ１８が装着されている。第１の端部キャップ１８は、円筒ハウジング壁１３ａの外径と略一致する円周と、ハウジング１３の開放端１４内へと僅かに延びる円柱突出部２５を形成する縁部１９とを有している。第１の端部キャップ１８は、任意の適した手段によってハウジングに着脱可能に、又は固定して取り付けることができ、縁部１９の周囲に配置されるガスケット（図示せず）を含んでもよい。接着又は熱溶着によって取り外し不能な取り付けが達成されてもよいが、着脱可能な取り付けがクランプ等の使用を含んでもよい。また、第１の端部キャップ１８は、端部キャップから外側に突出する半球形状の本体１８ａを含むことができる。本体１８ａの半球形状は、ハウジング１３内の圧力に耐えるために有利である。随意的に、端部キャップ１８の中央の厚さをハウジング壁１３ａの厚さよりも大きくすることができる。このより大きな厚さは、第１の端部キャップ１８がハウジング１３内の圧力に耐えることができるようにするために有利である。図示の実施形態では、第２の端部キャップ２０も同様に開口２１を伴う円形を成しており、随意的には、開口２１は、患者の付属の肢を受けるように寸法を定めた中央開口（ｃｅｎｔｒａｌ  ｏｐｅｎｉｎｇ）となっている。
【００１５】
図５及び図６に最も良く示されるように、第２の端部キャップ２０は、付属の肢に対してシールするために袖状部材のシールアセンブリ２３に取付けられている。袖状部材のシールアセンブリ２３は、接続部材２２ｂによって第２の端部キャップ２０に取り外し可能に取り付けられる袖状部材２２を含んでいる。袖状部材２２及び接続部材２２ｂは、第２の端部キャップ２０によってチャンバ１３ｂの内側に配置され、かつ装着されている。袖状部材２２は、図４に示されるように、内側及び外側同心管状壁２６，２８を有する略円筒形状管状部材２２ａから形成されている。袖状部材２２は、管状部材２２ａによって形成される通路３４内に肢を受けるために第１の開放端３２を有している。管状部材２２ａは、円錐台スリーブの形態を成す接続部材２２ｂによって第２の端部キャップ２０に取付けられている。
【００１６】
図４に示されるように、袖状部材２２の内側及び外側管状壁２６，２８は、これらの管状壁間に膨張可能なチャンバ２２ｃを形成するために互いにシールされている。袖状部材２２を膨張させるために、外側管状壁２８は、酸素又は空気等のガスを用いて袖状部材２２を膨張させるためにチャンバ２２ｃと流体連通するバルブ２４を含んでいる。膨張時、袖状部材２２の内側壁２６は、袖状部材２２の通路３４内に配置される肢に抗して、膨張圧に応じて内側へ拡張し、密封シール等のシールを形成することとなる。
【００１７】
内側及び外側管状壁２６，２８は、相互接続側壁３０によって直接的に又は間接的にそれらのそれぞれの端部で互いに結合されてシールされ、それにより、後述するように膨張され得るチャンバ２２ｃを形成してもよい。袖状部材は、ＲＦ溶接、熱接合、又は接着結合され得る合成熱可塑性材料から形成されるのが好ましい。袖状部材２２は、長さＬ、内径（ＩＤ）及び外径（ＯＤ）を有している。内径（ＩＤ）は内側管状壁２６から形成され、外径（ＯＤ）は外側管状壁２８から形成されている。
【００１８】
前述したように、袖状部材２２は、加圧流体供給源（図示せず）とチャンバ２２ｃとの間を流体連通して開閉するバルブ２４を使用して膨張することとなる。空気又は任意の適したガスがバルブ２４を通じて内側管状壁２６と外側管状壁２８との間のチャンバ２２ｃ内へ導入され、それによって、袖状部材２２が膨張することとなる。膨張前においては、内側管状壁の内径（ＩＤ）はＸである。これは、袖状部材２２の内径を、袖状部材２２を通じた肢の摺動に対応させるために、患者の付属の肢に対する外傷を減少させるのに十分な大きさとしている。膨張時、内側管状壁２６は、その内径がＸよりも小さい内径まで減少するように圧縮される。このとき、内径は、肢がいったん挿入されると、膨張の際に、治療されるべき付属の肢又は肢をぴったりと取り囲んでシールできるように十分減少する。
【００１９】
更なる実施形態において、袖状部材２２は、ゴム又はラテックス材料等の柔軟な弾性材料から形成されており、外側管状壁２８及び側壁３０は内側管状壁２６の厚さよりも大きい厚さを有している。厚さのこの増大が壁２８，３０の大きな剛性をもたらし、それによって、袖状部材２２が膨張されると、壁２８，３０は、撓みに耐えて、それらのサイズ及び寸法をほぼ維持することとなる。これによって、内側管状壁２６が通路３４へ向けて拡張して膨張圧に順応し、それによって、内径が減少することとなる。その減少される厚さに起因して、内側管状壁２６は、必要に応じて伸張して、肢又は付属の肢を依然としてシールしつつ、肢又は付属の肢の表面トポロジー（ｓｕｒｆａｃｅ  ｔｏｐｏｌｏｇｙ）に順応する。比較的柔軟な内側管状部材を設けることによって、袖状部材２２は、袖状部材２２の長さＬに沿って、膝又は足首等の肢サイズ又は形状における任意の変化に対してシールできることとなる。
【００２０】
袖状部材２２の開放端３２を第２の端部キャップ２０に取付けるため、袖状部材から延びる円錐台接続部材２２ｂには、その先端縁の周囲に形成される縁部３８が設けられている。円錐台接続部材２２ｂも同様にゴム又はラテックス材料等の柔軟な弾性材料から形成されている。部材２２は、管状部材２２ａの一部と一体に形成されてもよく、ＲＦ溶接、熱接合又は接着等のような任意の適した手段によって管状部材２２ａの一部に取付けられてもよい。縁部３８は、円錐台部材２２ｂのロールエッジ等の拡大縁部として、又は円錐台部材の肉厚縁部として形成されてもよい。図５及び図６から理解されるように、縁部３８は、第２の端部キャップ２０と着脱可能に係合する。この目的を達成するため、第２の端部キャップ２０は、端部キャップ２０の開口２１内へ挿入する、又は該開口を形成した内側に突出する環状スカート４０を有してもよい。さらに、端部キャップ２０は、端部キャップ２０がハウジングに装着されるときに、ハウジング１３の第１の端部１２をシールするための、例えば密閉シールするためのガスケット４２を含んでいる。
【００２１】
スカート４０は、袖状部材縁部３８を受けて、該袖状部材縁部を着脱可能に係合させる環状溝４４を含んでいる。したがって、袖状部材２２の縁部３８が端部キャップ２０のスカート４０上にわたって引き寄せられると、縁部３８が溝４４内に受けられ、円錐台部材２２ｂが溝４４及び環状スカート４０の全周を包み込むこととなる。さらに、円錐台部材２２ｂの内径がスカート４０の外径より小さくてもよく、その場合には、円錐台部材がスカート４０上にわたって嵌合するように引き伸ばされなければならず、それによって、スカート４０との圧縮嵌合がなされることとなる。
【００２２】
一般的に、袖状部材２２は、第２の端部キャップがハウジング１３の開放端１２に装着される前に第２の端部キャップ２０に装着される。したがって、袖状部材２２が第２の端部キャップ２０に装着されてハウジング１３内に挿入されると、袖状部材２０が内部チャンバ１３ｂ内に完全に受けられることとなる。しかしながら、袖状部材の全体をハウジング１３の外部に配置して依然として肢に対する密閉シールを作り出せるように、袖状部材２２及び第２の端部キャップ２０の方向を逆にすることができる。更に、袖状部材２２をハウジング１３内に部分的にのみ受けられるように構成することができる。
【００２３】
前述したように、ハウジング１３は随意的に１つ以上のアクセスポート１６を含む。図２及び図３に最も良く見られるように、ハウジング１３の一方側には、アクセスポート１６を形成するために延在部１５を形成することができる。アクセスポート１６は、ハウジング壁１３ａに開口４５を含むとともに、取り外し可能なカバー４６（図７及び図８参照）を含む。随意的に、アクセスポート１６は、創傷のための投薬を行なうため又は包帯を変えるために医師が付属の肢、更には創傷に十分アクセスできるに足る大きさを有している。カバー４６は、図７に示されるように、複数のクランプ４８を使用して、アクセスポート１６を閉じるように開口４５を覆って固定されてもよい。カバー４６を受け入れるために縁部１７（図２及び図３）をアクセスポート１６に形成することができる。したがって、後述するようにカバー４６がクランプを使用して縁部１７に着脱可能に取付けられてもよい。
【００２４】
カバー４６は、ハウジング壁１３ａに類似する鋳造アクリルを含む高分子等の適した材料から形成されてもよい。また、カバー４６は、ハウジング１３内の創傷を見ることができるように透明であってもよい。アクセスポート１６は、円形状を有するように示されているが、正方形、楕円形、多角形等の望み通りの任意の形状を有することができる。
【００２５】
開口４５の周囲で密閉シール等のシールを行なうために、柔軟な高分子ガスケット又はシールが、カバー４６と縁部１７との間に存在してもよい。このガスケットは、治療ガスが逃げるのを防止又は減少させることができる。ガスケットは、それらの固有の性質に起因して経時的に変形する可能性があり、それによって、貴重な治療ガスが漏れる可能性がある。したがって、本発明の一実施形態において、クランプ４８は、ガスケットにおける自然の変形を補償できる形式で構成されている。
【００２６】
図７〜図９を参照すると、カバー４６は複数の弓形の側面５０を有しており、各側面は対応する複数のスロット５２を有している。本明細書では３つの側面５０と３つのスロット５２とが図示されているが、任意の数の側面及び対応するスロットを利用できる。各側面５０は、それぞれの側面５０の内縁５４の近傍で第１の直径を有するとともに、スロット５２に隣接する外縁５６の近傍で更に大きい第２の直径を有しており、それによって、側面は、第１の直径と第２の直径との間で直径が増大しつつ径方向外側に広がることとなる。
【００２７】
スロット５２は、縁部１７上に配置されるクランプ４８と結合するように構成されている。スロット５２の数はクランプ４８の数に対応する。言うまでもなく、スロット５２又はクランプ４８の数を対応して変えることができる。カバー４６は、縁部１７に当接して開口４５を覆って配置され、カバーのスロット５２がクランプ４８と結合するように時計回りに回転することとなる。カバー４６は、それを反時計回りに回転させることが同様に有効となるように容易に構成できる。その後、クランプ４８は、以下で更に十分に説明されるように、カバー４６を縁部１７に締結する。既に述べたように、図７〜図９から明らかではないが、ガスケットがカバー４６と縁部１７との間に配置されている。
【００２８】
図１０及び図１１Ａはクランプ機構の詳細を示しており、この場合、クランプ４８は、装着スタッド５８と、雌ネジが形成される旋回ロッド６０と、平坦面６４を有する偏心カム６２と、ハンドル６６とを含む。各装着スタッド５８は、一端がアクセスポート１６の縁部１７に締結される。スタッド５８の他端は、旋回ロッド６０に形成されるネジ付きソケット６０ａ内に螺合される。同様に、ハンドル６６がカム６２のネジ付きソケット６２ａに捻じ込まれる。
【００２９】
アクセスポート１６及びカバー４６の側面図である図１１Ａ〜図１１Ｄに見られるように、カバー４６のスロット５２は、それらが装着スタッド５８と位置合わせするように配置されている。カバー４６は、カム６２と縁部１７との間の装着スタッド５８の周囲に形成される空間内に位置している。縁部１７とカバー４６との間にはガスケット６８が位置している。随意的に、ガスケット６８は、装着スタッド５８上に嵌合するために穴（図示せず）を含む。一般的に、カバー４６がアクセスポート１６を覆って配置され、カバーのスロット５２がクランプ４８の装着スタッド５８と結合し、クランプ４８を閉じてカバー４６を縁部１７に締結するためにハンドル６６が回転する。
【００３０】
図１１Ａ，図１１Ｂ，図１１Ｃ，図１１Ｄは、ハンドル６６がカム６２を装着スタッド５８周りに回転させるときの異なる位置を示している。図１１Ａを参照すると、ハンドル６６が第１の開放非クランプ位置にあり、この位置では、ハンドル６６が装着スタッド５８から９０°の角度にある。この位置では、カム６２とカバー４６の外面７０との間に幅広い隙間Ａが形成されている。この隙間は、ガスケット６８の厚さの変化を補償する。
【００３１】
図１１Ｂに描かれる第２の中間位置へのハンドル６６の回転時、ハンドルは、装着スタッド５８から１８０°の角度にある。この位置では、隙間Ａが減少し、偏心カム６２がガスケット６８を圧縮し始めている。このカム作用は、カム６２の形状によって部分的に達成されるが、枢軸カム６２の枢軸６２ａのオフセットによっても達成される。
【００３２】
図１１Ｃに描かれる第３の位置では、ハンドル６６が装着スタッド５８と１８０°〜２７０°の角度を成している。カム６２は、ガスケット６８をかなり大きな程度まで圧縮しており、それによって、隙間Ａが更に減少することとなる。最終的に、図１１Ｄに描かれるように、ハンドル６６は、装着スタッド５８から２７０°の角度を成すように回転する。この位置では、平坦面６４がガスケット６８と平行に対向することとなる。この最終的なロック位置では、カム６２がガスケット６８に対してガスケット圧縮力を及ぼすこととなる。そのため、隙間が無くなるか、又はほぼ無くなることになる。このように、様々な位置で、カム６２は、ガスケット６８の厚さの変化に対応して、それによって、隙間Ａのサイズを減少させることとなる。
【００３３】
平坦面６４は、平坦面６４が最大シール圧を与えるカム６２の外面部分に機械加工することができ、又は成型することができる。この平坦面６４はカム６２の緩みを防止するように構成されている。したがって、この平坦面６４は、カム６２を所定位置に効果的にロックできる。
【００３４】
カムクランプ４８は、硬質高圧創傷治療装置１０と共に使用されるように示されているが、経時的に厚さが変化するシールを必要とする任意の用途にて、このカムクランプ４８を使用できることに留意すべきである。クランプ４８は、錆び及び湿気に耐性を示す金属から形成されるのが好ましい。例えば、３００シリーズステンレス鋼が好ましい。
【００３５】
カバー４６を用いたアクセスポート１６の閉鎖に関してクランプ４８を説明してきたが、図１２に描かれるように、第２の端部キャップ２０を開放端１２に取り付けるために、ハウジングの第２の端部１２で類似の構成を使用することができる。この場合、開放端１２は、縁部１７に類似する縁部２７を含むことができるとともに、該縁部上に装着されるクランプ４８を有することができる。第２の端部キャップ２０は、カバー４６の態様に類似する態様で構成することができる。一般的に、第２の端部キャップ２０は、第２の端部縁部２７上に配置されるクランプ４８と結合するためのスロット５２を伴う弓形の側面５０を有することができる。この実施形態における第２の端部キャップ２０と先に説明したカバー４６との間の主な相違は、第２の端部キャップ２０が肢を収容するために中央２１にて開放するという点にある。ガスケット（図示せず）を縁部２７と第２の端部キャップ２０との間に配置することができる。ハウジングと第２の端部キャップ２０との間の密閉シールは、前述した態様で袖状部材２２により形成することができる。
【００３６】
本明細書では本発明を特定の実施形態に関して説明してきたが、これらの実施形態が本発明の原理及び適用の単なる例示であることは言うまでもない。したがって、例示的実施形態に対して多数の変更を成すことができるとともに、添付の特許請求の範囲によって規定される本発明の思想及び範囲から逸脱することなく他の構成を想起できると理解されるべきである。
【図１】
0005519520.tif 000002
【図２】
0005519520.tif 000003
【図３】
0005519520.tif 000004
【図４】
0005519520.tif 000005
【図５】
0005519520.tif 000006
【図６】
0005519520.tif 000007
【図７】
0005519520.tif 000008
【図８】
0005519520.tif 000009
【図９】
0005519520.tif 000010
【図１０】
0005519520.tif 000011
【図１１Ａ】
0005519520.tif 000012
【図１１Ｂ】
0005519520.tif 000013
【図１１Ｃ】
0005519520.tif 000014
【図１１Ｄ】
0005519520.tif 000015
【図１２】
0005519520.tif 000016